(57)【特許請求の範囲】
【請求項１】
水平方向の所定の間隔毎に配置され、それぞれ垂直方向に延びる型鋼材を有する基本壁体に足場設置用に設ける足場板支持フレームであって、
前記型鋼材に固定される水平のネジ部分と、
前記ネジ部分に対応させて、前記ネジ部分の下方に、傾斜方向を斜め上方に向けて固定される短管と、
前記ネジ部分にネジ結合されるナットを有し、回転により前記ネジ部分に着脱自在に装着される水平梁部材と、
一端側が前記短管に着脱自在に装着され、他端側が対応する前記水平梁部材に連結される傾斜梁部材と、
前記水平梁部材の水平突出端と前記傾斜梁部材とを着脱自在に連結する固定ピンとを有することを特徴とする足場板支持フレーム。
【請求項２】
請求項１記載の足場板支持フレームであって、前記水平梁部材の水平突端側に差し込まれる支柱取付部材を有し、支柱が差し込まれる短管を前記支柱取付部材の一端部側に取り付けることを特徴とする足場板支持用フレーム。
【請求項３】
水平方向に所定の間隔毎に配置され、それぞれ垂直方向に延びる型鋼材を有する基本壁体に足場設置用に設ける足場板支持フレームの取付・撤去方法であって、
前記足場板支持フレームの取り付け時には、
前記型鋼材に固定されたネジ部分に、水平梁部材の一端側に設けられたナットを前記水平梁部材の回転によりねじ結合し、前記ネジ部分に対応させて傾斜方向を斜め上方に向けて前記型鋼材に固定された短管に傾斜梁部材の一端部を取り付け、かつ前記水平梁部材の水平突出端と前記傾斜梁部材とを固定ピンにより連結し、
上記要領で取り付けられた前記足場板支持フレームの撤去時には、
前記水平梁部材の前記水平突出端と前記傾斜梁部材との前記固定ピンによる連結を外すとともに、前記傾斜梁部材を前記短管から外し、
前記水平梁部材を前記ネジ部分から外して、前記ネジ部分と前記短管とを前記型鋼材にそのまま残すことを特徴とする足場板支持フレームの取付・撤去方法。
【請求項４】
水平方向に所定の間隔毎に配置され、それぞれ垂直方向に延びる型鋼材を有する基本壁体に、水平方向に所定の間隔毎にネジ部分を取り付けるとともに、それぞれの前記ネジ部分に対応させてそれぞれの下方に傾斜方向を斜め上方に向けて短管を取り付ける工程と、
前記それぞれのネジ部分に水平梁部材を固定し、かつ前記それぞれの短管に傾斜梁部材を固定するとともに、前記水平梁部材の水平突出端と前記傾斜梁部材とを相互に固定ピンにより連結して前記基本壁体に複数の足場板支持フレームを組み付ける工程と、
前記基本壁体から所定の隙間を隔てて前記足場板支持フレームの上に足場板を装着する工程と、
作業者が前記足場板の上に乗って前記基本壁体に沿って鉄筋を組み付ける工程と、
鉄筋の組み付け作業の終了後に、前記水平梁部材を前記ネジ部分から外すとともに前記傾斜梁部材を前記短管から外す工程と、
前記基本壁体に前記鉄筋を介して平行に堰板を配置するとともに前記足場板と前記足場板支持フレームとを取り外した後に、前記堰板と前記基本壁体との間に、前記ネジ部分と前記短管とを残したままの状態で、コンクリートを注入して前記基本壁体の表面に鉄筋コンクリート壁体を構築するようにしたことを特徴とする足場板支持フレームを用いた鉄筋コンクリート壁体の構築方法。
【発明の詳細な説明】
【０００１】
【発明の属する技術分野】
本発明は、コンクリート壁体の構築に際し、その基本壁体部分に取り付ける足場板支持フレームの技術に関する。
【０００２】
【従来の技術】
地下鉄、地下室、地下道などの地下構造物では、掘削地下の地盤面に沿ってコンクリート壁を構築し、地下構造物の構内側壁などの地中壁を形成している。
【０００３】
かかるコンクリート壁の構築に際しては、Ｉ型鋼などの型鋼を地中壁構築範囲に沿って所定間隔で複数本鉛直方向に立設しておき、この複数本の型鋼材の間に、堰板と土留壁を兼ねる適当な壁体を介在させて、コンクリート打設時にはそのまま埋められる基本壁体を構成している。
【０００４】
かかる基本壁体の壁面に沿って、コンクリート壁の強度確保のために鉄筋を配筋している。基本壁体の壁面との間に配筋を挟むようにして堰板を設け、コンクリート打設型枠を形成する。この打設型枠にコンクリートを現場打設して、養生後に脱型すれば内部に鉄筋が入った鉄筋コンクリート壁が構築できる。
【０００５】
鉄筋による配筋作業は基本壁体の上下左右にわたる高所作業となるため、基本壁体の構築の際に所定間隔で立設したＩ型鋼などの型鋼材に足場板支持フレームを取り付け、これに足場板を渡して足場を確保してから行われる。
【０００６】
従来の足場板支持フレームは、図１１に示すように、複数本のそれぞれの型鋼材に、足場板の掛け渡しができるように水平に腕を延ばした状態で鋼管を溶接固定し、さらに別の鋼管を斜め下方から溶接取り付けして腕を支持することにより、その取り付けが行われている。
【０００７】
一方、配筋作業が終了し足場を撤去するときには、水平に飛び出している足場板支持フレームを、堰板取り付け作業の邪魔にならないように溶断して撤去している。
【０００８】
【発明が解決しようとする課題】
このように地下坑内などに鉄筋コンクリート壁を構築するに際しては、上記のように高所作業ができるように足場を確保してから、基本壁体の壁面に対して鉄筋による配筋を行っている。足場の確保は、基本壁体の型鋼材に鋼管を溶接固定して足場板支持フレームを設け、この足場板支持フレーム間に足場板を渡して行っている。
【０００９】
また、足場の撤去に際しては、その後の堰板（型枠）の取り付け作業の邪魔にならないように、水平方向に出っ張っている足場板支持フレームの鋼管を溶断により撤去している。
【００１０】
しかし、溶断作業は特殊作業であるため、一般作業者は従事することができず、溶接技術者しか行えない。一方、溶接技術者は、一つの現場に多人数配置される場合は少なく、小人数で溶断作業を行う場合が殆どで、足場板支持フレームの撤去には手間がかかり、現場からは簡単に行える技術が求められている。
【００１１】
本発明の目的は、地中壁などの構築時の基本壁体に設けられた足場板支持フレームの撤去に際して、溶断作業を省くことができるようにすることにある。
【００１２】
本発明の前記ならびにその他の目的と新規な特徴は、本明細書の記述および添付図面から明らかになるであろう。
【００１３】
【課題を解決するための手段】
本願において開示される発明のうち、代表的なものの概要を簡単に説明すれば、以下のとおりである。
【００１４】
すなわち、基本壁体の水平方向の所定間隔毎に垂直方向に延びるＩ型鋼などの型鋼材に、水平支持ブラケットと、この水平支持ブラケットに対応させて傾斜方向を斜め上方に向けた傾斜支持ブラケットとを固定する。
【００１５】
また、水平支持ブラケットと傾斜支持ブラケットとは、上記基本壁体を使用して構築しようとするコンクリート壁体の壁厚より小さく設定しておく。さらに、水平支持ブラケットと傾斜支持ブラケットとは、固定に際しては、確実に固定できるように溶接固定しておけばよい。
【００１６】
かかる水平支持ブラケットと、傾斜支持ブラケットとを、基本壁体の複数本の型鋼材に溶接固定する。溶接固定は現場溶接でも良いし、あるい水平支持ブラケットも傾斜支持ブラケットもそれ程嵩張らないので、現場に搬入する前に鉄工所などで予め溶接固定しておいても構わない。
【００１７】
かかる水平支持ブラケットに、直管状の鋼管などの水平梁部材の一端側を、例えばねじ込み手段などで、着脱自在に取り付ける。
【００１８】
一方、傾斜支持ブラケットにも、直管状の鋼管などの傾斜梁部材の一端側を、例えば差し込み手段などで着脱自在に取り付ける。さらに、傾斜梁部材の水平梁部材の方向に向けて斜め上方に向けて延びている先端側を、例えばピン連結などの手段で、水平梁部材に着脱自在に連結する。
【００１９】
このようにして、型鋼材に溶接固定した水平支持ブラケットと、傾斜支持ブラケットとを使用して、水平梁部材、傾斜梁部材の両部材をそれぞれ着脱自在に取り付け、併せて両部材間を着脱自在に連結することにより足場板支持フレームを取り付ける。
【００２０】
また、足場板支持フレームの撤去時には、水平梁部材、傾斜梁部材はそれぞれ着脱自在に取り付けされているので簡単に取り外しができ、従来のような面倒な溶断作業を必要としない。
【００２１】
さらに、水平梁部材、傾斜梁部材をそれぞれ取り外した水平支持ブラケットと傾斜支持ブラケットとは、そのまま型鋼材側に残しておいて、打設コンクリート内に埋めてしまえばよい。水平支持ブラケットも、傾斜支持ブラケットも共に構築するコンクリート壁体の壁厚より小さく設定されているので、打設型枠の取付けに際しては邪魔にならない。
【００２２】
また、水平梁部材の水平突端側に、例えばパイプ状に構成された支柱の下端側を抜き差し手段で挿通させて固定立設することができる短管を一端側端部に設けた支柱取付部材を、その支柱取付部材の他端側を、例えばパイプ状に構成した水平梁部材に伸縮自在に抜き差し手段で取り付けるようにすれば、足場板支持フレームを使用した足場板の周囲に落下防止用の柵の取り付けができる。
【００２３】
【発明の実施の形態】
以下、本発明の実施の形態を図面に基づいて詳細に説明する。
【００２４】
（実施の形態１）
本実施の形態の足場板支持フレームは、図１に示すように、水平支持ブラケット１０と、傾斜支持ブラケット２０と、水平梁部材３０と、傾斜梁部材４０とを有している。
【００２５】
水平支持ブラケット１０は、図１に示すように、基本壁体１００（図２参照）を構築する際に使用される型鋼材１１０のフランジ１１１面に取り付け方向を水平に向けて溶接取り付けされている。
【００２６】
本実施の形態では、水平支持ブラケット１０には、ボルト１０ａが使用されている。ボルト１０ａのネジ部分１１の方向が、フランジ１１１面に対して直行して水平方向を向くように、ボルト１０ａの頭部が溶接固定されている。
【００２７】
一方、本実施の形態では、図１に示すように、傾斜支持ブラケット２０は、傾斜梁部材４０の端部を差し込めるような短管２０ａに構成され、フランジ１１１面に溶接固定されている。
【００２８】
短管２０ａの開口方向は、上記水平支持ブラケット１０に水平梁部材３０を取り付けた際に、傾斜支持ブラケット２０に取り付けた傾斜梁部材４０の先端側が、水平方向に張り出させられた水平梁部材３０の先端側に届くように設定されている。
【００２９】
さらに、水平支持ブラケット１０、傾斜支持ブラケット２０は共に、図２に示すように、本実施の形態では、１本の型鋼材１１０のフランジ１１１面に、上下に所定間隔離されて２箇所に溶接取り付けされ、足場板が上下２段に設けられるようになっている。
【００３０】
このように上下に複数箇所水平支持ブラケット１０、傾斜支持ブラケット２０を取り付けることにより、上下に高い基本壁体１００でも、足場板支持フレームを上下に複数段設けて、後記する配筋作業などができるようになっている。
【００３１】
また、上記水平支持ブラケット１０のボルト１０ａ、傾斜支持ブラケット２０の短管２０ａは、それぞれ形成しようとする鉄筋コンクリート壁体Ｂの壁厚より小さく設定されている（図１０（ｃ）参照）。
【００３２】
さらに、かかる水平支持ブラケット１０、傾斜支持ブラケット２０の型鋼材１１０のフランジ１１１面への溶接固定は、現場作業で行なってもよいし、あるいは鉄工所などの工場で予め溶接固定しても構わない。いずれの場合にしても、水平支持ブラケット１０、傾斜支持ブラケット２０はそれ程大きくないため、溶接取り付け作業が行い易く、また、工場で先行取り付けしてもブラケット部がそれ程出っ張らず現場への型鋼材１１０の搬送、搬入作業にも支障が生じない。
【００３３】
水平梁部材３０は、本実施の形態では、図１に示すように、角形鋼管に形成されている。その一端側には、図３に示すように、平板状の台座３１を介して取付ナット３２が溶接固定されている。
【００３４】
水平梁部材３０の取付ナット３２を、上記構成のボルト１０ａ（１０）のネジ部分１１にあてがって、そのまま水平梁部材３０を回転させてねじ込めば、水平支持ブラケット１０に水平梁部材３０を着脱自在に取り付け固定ができる。
【００３５】
一方、水平梁部材３０の他端側は、図１に示すように、そのまま角形開口に形成され、支柱取付部材５０が抜き差し手段で自在伸縮可能に差し込みできるようになっている。
【００３６】
支柱取付部材５０は、図１に示すように、水平梁部材３０の角形開口部に丁度ガタが発生しない程度に差し込み可能な角形鋼管に形成され、その一端側に短管５１が開口方向を鉛直上下方向に向けて溶接取り付けされている。
【００３７】
短管５１の上端側には、短管５１に差し込んだ支柱６０に、側方から固定ネジ５２をねじ込んで抜けないように取り付け固定ができるようになっている。固定ネジ５２には、ハンドル５３がＴ字型に設けられ、ねじ込みし易いように構成されている。
【００３８】
なお、支柱６０の取り付けに際しては、図４に示すように支柱６０を短管５１の上下に挿通させてもよいし、あるいは短管５１の下端側を塞いでおいて、支柱６０の下端側が突き抜けないようにしても構わない。
【００３９】
また、本実施の形態では、支柱取付部材５０の角形鋼管部分５０ａは、ほぼ水平梁部材３０の角形鋼管部分３０ａに合わせた長さに設定され、水平梁部材３０の奥くまで差し込むことにより、抜け防止が簡単な構成で図れるようになっている。
【００４０】
かかる支柱取付部材５０の抜け防止は、水平梁部材３０の角形鋼管部分３０ａの側方に透孔を設けておき、併せて支柱取付部材５０の角形鋼管部分５０ａの側面にも所定間隔で複数の透孔を一列に設けておき、水平梁部材３０に支柱取付部材５０を差し込んだ状態で、両者の透孔を一致させてピンを挿通させることにより取付け固定できるように構成しても構わない。
【００４１】
一方、水平梁部材３０の支柱取付部材５０の差し込み開口端より少し手前側には、傾斜梁部材４０の端部と着脱自在に連結できるように、角形鋼管部分３０ａの両側面から相対するように２枚のフランジ３３が下方に突出させられている。
【００４２】
２枚のフランジ３３には、固定ピン３４を挿通させられる透孔３５が設けられている。固定ピン３４は、略Ｌ型に曲げられたピンで、本実施の形態では、使用時に固定ピン３４を都度探す必要がないように、水平梁部材３０のフランジ３３の近くに鎖などで常時吊るされている。
【００４３】
また、本実施の形態では、傾斜梁部材４０は所定長の丸形鋼管に形成され、その一端側は前記構成の傾斜支持ブラケット２０の短管２０ａに差し込んで、傾斜梁部材４０を傾斜支持ブラケット２０に着脱自在に取り付けられるようになっている。本実施の形態では、単に差し込むだけで取り付けられるように構成されているが、短管２０に傾斜梁部材４０の端部を二重筒状に差し込んだ状態で、側方から両者に固定ピンを挿通させてピン挿通手段による要領で抜け防止が図れるようにしても構わない。
【００４４】
丸形鋼管の傾斜梁部材４０の他端側側面には、透孔（図示せず）が設けられ、この透孔に上記固定ピン３４を挿通させることができるようになっている。
【００４５】
かかる構成の足場板支持フレームは、以下のようにして型鋼材１１０に取り付ける。
【００４６】
先ず、水平支持ブラケット１０のボルト１０ａのネジ部分１１に、水平梁部材３０の取付ナット３２をあてがった状態で、水平梁部材３０を回転してボルト１０ａのネジ部分１１に水平梁部材３０の取付ナット３２を奥までねじ込む。着脱自在のねじ込み手段で、水平梁部材３０を水平支持ブラケット１０に取り付けることができる。
【００４７】
また、水平梁部材３０の上記取付固定時には、水平梁部材３０に設けた２枚のフランジ３３が、図１に示すように、鉛直下方を向いた状態で取付け固定を終了させるようにしておく。
【００４８】
併せて、傾斜梁部材４０を傾斜支持ブラケット２０に取り付ける。丸形鋼管に形成された傾斜梁部材４０の一端側を、傾斜支持ブラケット２０の短管２０ａに差し込む。この状態で、傾斜梁部材４０は、図１に示すように、斜め上方に向けて取り付けられ、その先端側は丁度水平梁部材３０の２枚の両フランジ３３間に届くようになっている。
【００４９】
傾斜梁部材４０の他端側を２枚のフランジ３３で挟んだ状態で、固定ピン３４を傾斜梁部材４０の側面と、それを挟む２枚のフランジ３３に挿通して、水平梁部材３０と傾斜梁部材４０とをピン連結手段で着脱自在に連結する。
【００５０】
水平梁部材３０は、図４に示すように、傾斜梁部材４０により斜め下方から補強支持され、足場板２００をかけわたしても、安全な強度が確保できるようになっている。
【００５１】
足場板２００は、従来構成のものでよく、鋼製の略矩形平板状に形成され、短辺側の四隅に設けたフック２１０を水平梁部材３０に掛けて渡すようにすればよい。
【００５２】
また、本実施の形態では、水平梁部材３０と傾斜梁部材４０とを上記要領で互いに着脱自在にピン連結手段で連結した状態で、水平梁部材３０の角形開口端に、支柱取付部材５０を適宜長さに差し込んで、かけ渡した足場板２００の周囲に落下防止用の柵が形成できるようにした。
【００５３】
支柱取付部材５０は、その角形鋼管部分５０ａを、水平梁部材３０の角形鋼管部分３０ａに差し込んで取り付ける。本実施の形態では、図４に示すように、少し、手前側に出した状態で支柱取付部材５０が取り付けられている。この状態では、支柱取付部材５０の角形鋼管部分５０ａの殆どの部分が水平梁部材３０中に挿通された状態になっているので抜ける心配はない。
【００５４】
支柱取付部材５０の短管５１に、短管５１の口径に合わせた丸形鋼管の支柱６０の下端側を適当長差し込み、短管５１に支柱６０の丸形鋼管が二重筒状に差し込まれた状態で、双方に固定ネジ５２を側方からねじ込んで支柱６０を抜けないようにすればよい。
【００５５】
また、上記実施の形態の説明では、水平梁部材３０の水平支持ブラケット１０への取り付け手段を、水平支持ブラケット１０をボルト１０ａに構成して、これに水平梁部材３０の端部に設けた取付ナット３２をねじ込み取り付けするように構成したが、これ以外の着脱自在な取り付け手段を採用するようにしても構わない。
【００５６】
例えば、図５に示すように、水平梁部材３０を丸形鋼管とし、水平梁部材３０の一端側に略Ｌ型の係止孔３６を設けておく。
【００５７】
一方、水平支持ブラケット１０を丸形の短管１０ｂに構成しておき、型鋼材１１０への溶接端側から先方向の管内に上記係止孔３６に丁度かみ合い係止できる程度の太さの水平ピン１２を設けておく。
【００５８】
短管１０ｂ内の水平ピン１２に、水平梁部材３０の係止孔３６の開口側３６ａを合わせて奥まで差し込み、さらに係止孔３６の曲がり部分３６ｂ側に水平ピン１２が入るように水平梁部材３０を少し回転させて、両者を着脱自在に取り付けるようにしても構わない。
【００５９】
かかる取り付け手段は、例えば、傾斜支持ブラケット２０と傾斜梁部材４０との間に適用することもできる。
【００６０】
（実施の形態２）
上記構成の足場板支持フレームを使用して地下坑内の側壁などとして使用する鉄筋コンクリート壁体Ｂを構築する方法について説明する。
【００６１】
水平支持ブラケット１０、傾斜支持ブラケット２０をそれぞれ基本壁体１００に使用されている型鋼材１１０のフランジ１１１面に溶接固定する。溶接固定に際しては、本実施の形態では、図２に示すように、上下に２段に分けて溶接固定する。
【００６２】
かかる水平支持ブラケット１０、傾斜支持ブラケット２０の型鋼材１１０への溶接固定は、現場で溶接固定しても構わないが、予め鉄工所や工場などで溶接固定しておけば現場作業の効率がよい。
【００６３】
水平支持ブラケット１０、傾斜支持ブラケット２０は、形成する鉄筋コンクリート壁体Ｂの壁厚よりも小さく設定されているので嵩張らず、工場などで先行取り付けしておいても現場搬入しにくくなる虞れはない。
【００６４】
次に、図６に示すように、型鋼材１１０のそれぞれに上下２段に取り付けた水平支持ブラケット１０、傾斜支持ブラケット２０のうち下段側の水平支持ブラケット１０、傾斜支持ブラケット２０に、水平梁部材３０、傾斜梁部材４０をそれぞれ取り付ける。
【００６５】
足場板支持フレームの取り付け要領は、前記実施の形態１で説明したように行なえばよい。水平梁部材３０の取付ナット３２側を、型鋼材１１０のフランジ１１１面に溶接固定したボルト１０ａのネジ部分１１にあてがった状態で、水平梁部材３０を回転させて奥までねじ込み固定すればよい。
【００６６】
さらに、傾斜梁部材４０の一端側を、傾斜支持プラケット２０内に奥まで差し込んで取り付けるとともに、傾斜先端側を水平梁部材３０の２枚のフランジ３３の間に挟んで固定ピン３４を挿通させて水平梁部材３０と傾斜梁部材４０とを着脱自在に連結する。
【００６７】
さらに、水平梁部材３０の角形開口端に、支柱取付部材５０の角形鋼管部分５０ａを差し込んで、支柱６０を立設できるようにしておく。支柱取付部材５０の水平梁部材３０への差し込み要領は、前記図４に示すように、支柱取付用の短管５１を少し手前側に出した状態で、角形鋼管部分５０ａの大部分が水平梁部材３０の角形鋼管部分３０ａ内に入るようにしておけばよい。
【００６８】
かかる要領で、各型鋼材１１０の下段側に設けた水平支持ブラケット１０、傾斜支持ブラケット２０を使用して足場板支持フレームを取り付け、図７に示すように、この水平梁部材３０間に足場板２００を掛け渡して、下段側の足場を確保する。
【００６９】
併せて、支柱取付部材５０の短管５１に支柱６０の丸形鋼管の下端側を適当長さ差し込んで、固定ネジ５２をねじ込んで抜けないように立設固定する。支柱６０間には、筋交７０や桁部材８０などを渡して足場板２００の周囲に落下防止用の柵を形成すればよい。
【００７０】
このようにして下段側の足場を確保した上で、上段側の足場を確保する。上段の足場板支持フレームの組み付け要領は、下段の足場板支持フレームの組み付け要領と同様にして行なえばよい。上下２段に足場を構成した様子を図８に示す。
【００７１】
なお、上下段の足場板２００をそれぞれ水平梁部材３０に掛け渡した状態で、上段側の支柱取付部材５０の短管５１にも支柱６０を差し込んで立設する。立設した支柱６０間に、筋交い７０や桁部材８０を適宜に取り付けて落下防止用の柵を設ける。
【００７２】
このようにして上下段に足場を確保した状態で、基本壁体１００の壁面に沿って、鉄筋を使用して配筋Ａを行なう。配筋作業は、従来通りに行なえばよい。かかる状態での配筋の様子を、図９に示した。
【００７３】
なお、支柱６０は、図９では、上下段別々に立設するようにしたが、上下の支柱取付部材５０のそれぞれの短管５１を、上下に一本の丸形鋼管で通しの支柱６０に構成するようにしても構わない。支柱６０にかかる構成をとれば、より上下段の足場板支持フレームが通しの支柱６０により組み付けられた構造となり、足場板支持フレームの強度がより一層強化される。
【００７４】
一方、配筋作業が終了した時点で、上段の支柱６０間の筋交い７０や桁部材８０を取り外して足場板２００周りの柵を撤去する。さらに、この状態で下段の足場に移動して、上段の足場板２００を取り外す。併せて、上段の足場板支持フレームを取り外す。
【００７５】
上段の足場板支持フレームの取外しに際しては、上記足場板支持フレームの組み付け要領の逆を行なえばよい。
【００７６】
すなわち、先ず、支柱６０を抜いた支柱取付部材５０の角形鋼管部分５０ａを、水平梁部材３０の角形鋼管部分３０ａから抜いて、支柱取付部材５０と水平梁部材３０との組み付けを外す。併せて、足場板２００も外す。
【００７７】
次いで、固定ピン３４を抜いて水平梁部材３０と傾斜梁部材４０との組み付けを外し、傾斜梁部材４０を傾斜支持ブラケット２０から抜く。水平梁部材３０も、取付時とは逆に回転させて、水平支持ブラケット１０から水平梁部材３０を取り外す。
【００７８】
このようにして、上段の足場板支持フレームを解体した後、さらに下段の足場板支持フレームも同様の要領で解体すればよい。両足場板支持フレームを解体した状態では、図１０（ａ）に示すように、水平支持ブラケット１０、傾斜支持ブラケット２０が、型鋼材１１０のフランジ１１１面に残るだけとなり、水平方向に出っ張る部材がない。
【００７９】
この状態で、配筋Ａ面に沿って、基本壁体１００の壁面から所定間隔（形成しようとする鉄筋コンクリート壁体Ｂの壁厚に合わせる）離して、図１０（ｂ）に示すように、堰板３００を設けて打設型枠３１０を形成する。
【００８０】
このようにして構成した打設型枠３１０内に、コンクリートを打設してその後に脱型すれば、図１０（ｃ）に示すように、地下坑内の側壁などの地中壁としての鉄筋コンクリート壁体Ｂの構築が行なえる。
【００８１】
以上、本発明者によってなされた発明を実施の形態に基づき具体的に説明したが、本発明は前記の形態に限定されるものではなく、その要旨を逸脱しない範囲で種々変更可能であることはいうまでもない。
【００８２】
また、以上の説明では主として本発明者によってなされた発明をその利用分野である地下鉄や、地下道、地下室などの地下構造物の地中壁などに適用した場合について説明したが、本発明の足場板支持フレームは、地中壁以外の地上部分の壁体の構築にも使用できる。
【００８３】
【発明の効果】
本願において開示される発明のうち、代表的なものによって得られる効果を簡単に説明すれば、以下のとおりである。
【００８４】
（１）．本発明の足場板支持フレームでは、基本壁体の型鋼材に溶接固定した水平支持プラケットと傾斜支持ブラケットに、水平梁部材、傾斜梁部材を着脱自在に取り付ける構成となっている。そのため、足場撤去に際しては、水平梁部材、傾斜梁部材を溶接固定した水平支持ブラケット、傾斜支持ブラケットから取り外すだけで行なえ、従来とは異なり溶断作業の手間がかからない。
【００８５】
（２）．本発明の足場板支持フレームでは、その撤去に際して従来とは異なり溶断作業を行なわないため、溶断により再生がきかず無駄と成りがちだった足場板支持フレームの構成部材の繰り返し使用ができる。
【００８６】
（３）．本発明の足場板支持フレームでは、水平支持ブラケット、傾斜支持ブラケットは、形成するコンクリート壁体の壁厚より小さく設定されて嵩張らないため、かかる水平支持ブラケット、傾斜支持ブラケットを型鋼材に先行取り付けしても、型鋼材の搬送に支障が出ない。
【００８７】
（４）．本発明の足場板支持フレームでは、水平支持ブラケット、傾斜支持ブラケットの工場などでの先行取付ができるので、従来の現場溶接により足場板支持フレームを取り付ける場合に比べて、その分現場作業の工数を減らして、作業効率の向上を図ることができる。
【００８８】
（５）．本発明の足場板支持フレームを用いた鉄筋コンクリート構築方法では、手間のかかる配筋後の足場板支持フレームの溶断作業がなくなったので、溶断作業を必要とする従来の構築方法に比べて施工時間の短縮が図れる。
【００８９】
（６）．本発明の足場板支持フレームの取付・撤去方法では、取り付け時には、型鋼材に溶接固定した水平支持ブラケット、傾斜支持ブラケットに水平梁部材、傾斜梁部材を着脱自在に取り付ければよく、また撤去時には、水平支持ブラケット、傾斜支持ブラケットを型鋼材の側に残したまま水平梁部材、傾斜梁部材を取り外せばよいので、従来のように足場板支持フレームの構成部材を溶接固定するとともに、解体時に溶断する場合に比べて、足場板支持フレームの取付・解体の手間がかからない。
【図面の簡単な説明】
【図１】本発明の足場板支持フレームを示す斜視図である。
【図２】本実施の形態の足場板支持フレームの基本壁体の型鋼材への取り付け状況を示す斜視図である。
【図３】本実施の形態の足場板支持フレームの水平梁部材の取付ナット部分を示す斜視図である。
【図４】本実施の形態の足場板支持フレームの型鋼材への取り付け状況を示す断面図である。
【図５】水平梁部材と水平支持ブラケットとの着脱自在取り付け手段の変形例を示す分解斜視図である。
【図６】本実施の形態の足場板支持フレームの取り付け工程を示す斜視図である。
【図７】本実施の形態の足場板支持フレームの取り付け工程を示す斜視図である。
【図８】本実施の形態の足場板支持フレームの取り付け工程を示す斜視図である。
【図９】本実施の形態の足場板支持フレームを使用して足場を構成し、その後に基本壁体の壁面に沿って配筋を行なった状況を示す断面図である。
【図１０】（ａ）は、配筋作業の終了後、本実施の形態の足場板支持フレームを撤去した状況を示す断面図である。（ｂ）は、堰板を設けて鉄筋コンクリート壁体用の打設型枠を形成した状況を示す断面図である。（ｃ）は、形成された鉄筋コンクリート壁体を示す断面図である。
【図１１】従来構成の足場板支持フレームの取り付け状況を示す斜視図である。
【符号の説明】
１０    水平支持ブラケット
１０ａ  ボルト
１１    ネジ部分
２０    傾斜支持ブラケット
２０ａ  短管
３０    水平梁部材
３０ａ  角形鋼管部分
３１    台座
３２    取付ナット
３３    フランジ
３４    固定ピン
３５    透孔
３６    係止孔
３６ａ  開口側
３６ｂ  曲がり部分
４０    傾斜梁部材
５０    支柱取付部材
５０ａ  角形鋼管部分
５１    短管
５２    固定ネジ
５３    ハンドル
６０    支柱
７０    筋交い
８０    桁部材
１００  基本壁体
１１０  型鋼材
１１１  フランジ
２００  足場板
２１０  フック
３００  堰板
３１０  打設型枠
【図１】
0003839921.tif 000002
【図２】
0003839921.tif 000003
【図３】
0003839921.tif 000004
【図４】
0003839921.tif 000005
【図５】
0003839921.tif 000006
【図６】
0003839921.tif 000007
【図７】
0003839921.tif 000008
【図８】
0003839921.tif 000009
【図９】
0003839921.tif 000010
【図１０】
0003839921.tif 000011
【図１１】
0003839921.tif 000012